(57)【要約】      （修正有）【課題】異種ワイヤレスネットワークにおけるカバレージおよび／またはスループットを向上させるための方法を提供する。【解決手段】ネイバリングセルとサービングセルとの間の干渉を検出する(1102)ことを含む。本方法はまた、干渉が、衝突する共通基準信号（ＣＲＳ）トーンを有するかどうか、または干渉が、衝突する専用基準信号（ＤＲＳ）トーンを有するかどうかに基づいて、適応技法を使用して干渉を消去する(1103)ことを含む。【選択図】図１１
2018101980.tif 000002
【特許請求の範囲】
【請求項１】
ワイヤレスネットワークにおいて干渉を消去するための方法であって、前記方法は、
ネイバリングセルとサービングセルとの間の干渉を検出することと、
前記干渉が、前記サービングセルの専用基準信号（ＤＲＳ）トーンと衝突している前記ネイバリングセルのＤＲＳトーンからのものであることに少なくとも部分的に基づいて、前記干渉を消去することと
を備え、
ここにおいて、前記干渉を消去することは、
前記ネイバリングセルの専用基準信号（ＤＲＳ）トーンに少なくとも部分的に基づいて前記ネイバリングセルのチャネルを推定することと、
サービングセルチャネルを推定するために前記ネイバリングセルＤＲＳトーンからの前記干渉を消去することと、
前記サービングセルチャネルを推定することと
を備える、方法。
【請求項２】
ネイバリングセル制御チャネルおよびネイバリングセルデータチャネルのうちの少なくとも１つを復号／推定することと、
前記ネイバリングセル制御チャネルおよび前記ネイバリングセルデータチャネルのうちの前記復号／推定された少なくとも１つを使用して、前記ネイバリングセル制御チャネルおよび前記ネイバリングセルデータチャネルのうちの前記少なくとも１つからの干渉を消去することと、
サービングセル制御チャネルおよびサービングセルデータチャネルのうちの少なくとも１つを復号することと
をさらに備える、請求項１に記載の方法。
【請求項３】
前記サービングセルの前記ＤＲＳトーンと前記ネイバリングセルの前記ＤＲＳトーンとに対する反復干渉消去によって、ネイバリングセルチャネルとサービングセルチャネルとを反復的に推定すること
をさらに備える、請求項１に記載の方法。
【請求項４】
（ｉ）前記サービングセル制御チャネルおよび前記サービングセルデータチャネル、並びに（ｉｉ）前記ネイバリングセル制御チャネルおよび前記ネイバリングセルデータチャネルのうちの少なくとも１つを反復的に復号／推定し、消去すること
をさらに備える、請求項２に記載の方法。
【請求項５】
前記干渉を消去することは、さらに、前記ネイバリングセルの受信電力強度と前記サービングセルの受信電力強度とに少なくとも部分的に基づく、請求項１に記載の方法。
【請求項６】
前記サービングセルチャネルを推定することは、前記サービングセルチャネルのＤＲＳトーンに少なくとも部分的に基づく、請求項１に記載の方法。
【請求項７】
ワイヤレスネットワークにおいて干渉を消去するための方法であって、前記方法は、
ネイバリングセルとサービングセルとの間の干渉を検出することと、
前記干渉が、前記サービングセルの専用基準信号（ＤＲＳ）トーンと衝突しているネイバリングセル制御トーンまたはネイバリングセルデータトーンからのものであることに少なくとも部分的に基づいて、あるいは前記干渉が、前記サービングセルの制御トーンまたはデータトーンと衝突しているネイバリングセルＤＲＳトーンからのものであることに少なくとも部分的に基づいて、前記干渉を消去することと
を備え、
ここにおいて、前記干渉を消去することは、
前記ネイバリングセルのＣＲＳまたは専用基準信号（ＤＲＳ）トーンに少なくとも部分的に基づいて前記ネイバリングセルのチャネルを推定することと、
前記ネイバリングセルの前記推定されたチャネルに少なくとも部分的に基づいて前記干渉を消去することと
を備える、方法。
【請求項８】
ネイバリングセル制御チャネルおよびネイバリングセルデータチャネルのうちの少なくとも１つを復号／推定することと、
前記ネイバリングセル制御チャネルおよび前記ネイバリングセルデータチャネルのうちの前記少なくとも１つからの干渉を消去することと
をさらに備える、請求項７に記載の方法。
【請求項９】
前記推定されたネイバリングセルＣＲＳ／ＤＲＳトーンからの干渉を推定し、消去することと、ネイバリングセル制御およびデータチャネルを復号／推定し、消去することと、前記サービングセルＣＲＳ／ＤＲＳトーンを消去することと、前記サービングセル制御およびデータチャネルのうちの少なくとも１つを消去することとを反復的に行うことをさらに備える、請求項８に記載の方法。
【請求項１０】
サービングセルＣＲＳ／ＤＲＳトーンを消去することと、
サービングセル制御チャネルおよびサービングセルデータチャネルのうちの少なくとも１つを消去することと、
前記推定されたネイバリングセルＣＲＳ／ＤＲＳトーンからの干渉を推定し、消去することと、ネイバリングセル制御およびデータチャネルを復号／推定し、消去することと、前記サービングセルＣＲＳ／ＤＲＳトーンを消去することと、前記サービングセル制御およびデータチャネルのうちの少なくとも１つを消去することとを反復的に行うこととをさらに備える、請求項８に記載の方法。
【請求項１１】
ワイヤレスネットワークにおいてカバレージを向上させるための装置であって、
メモリと、
前記メモリに結合された少なくとも１つのプロセッサと
を備え、前記少なくとも１つのプロセッサは、
ネイバリングセルとサービングセルとの間の干渉を検出することと、
前記干渉が、前記サービングセルの専用基準信号（ＤＲＳ）トーンと衝突している前記ネイバリングセルのＤＲＳトーンからのものであることに少なくとも部分的に基づいて、前記干渉を消去することと
を行うように構成され、
ここにおいて、前記少なくとも１つのプロセッサは、
前記ネイバリングセルのチャネルの専用基準信号（ＤＲＳ）トーンに少なくとも部分的に基づいて前記ネイバリングセルの前記チャネルを推定することと、
サービングセルチャネルを推定するために前記ネイバリングセルＤＲＳトーンからの前記干渉を消去することと、
前記サービングセルチャネルを推定することと
によって干渉を消去するようにさらに構成される、装置。
【請求項１２】
前記少なくとも１つのプロセッサは、
ネイバリングセル制御チャネルおよびネイバリングセルデータチャネルのうちの少なくとも１つを復号／推定することと、
前記ネイバリングセル制御チャネルおよび前記ネイバリングセルデータチャネルのうちの前記復号／推定された少なくとも１つを使用して、前記ネイバリングセル制御チャネルおよび前記ネイバリングセルデータチャネルのうちの前記少なくとも１つからの干渉を消去することと、
サービングセル制御チャネルおよびサービングセルデータチャネルのうちの少なくとも１つを復号することと
によって干渉を消去するようにさらに構成される、請求項１１に記載の装置。
【請求項１３】
前記少なくとも１つのプロセッサは、
前記サービングセルの前記ＤＲＳトーンと前記ネイバリングセルの前記ＤＲＳトーンとに対する反復干渉消去によって、ネイバリングセルチャネルとサービングセルチャネルとを反復的に推定すること
によって干渉を消去するようにさらに構成される、請求項１１に記載の装置。
【請求項１４】
前記少なくとも１つのプロセッサは、
（ｉ）前記サービングセル制御チャネルおよび前記サービングセルデータチャネル、並びに（ｉｉ）前記ネイバリングセル制御チャネルおよび前記ネイバリングセルデータチャネルのうちの少なくとも１つを反復的に復号／推定し、消去すること
によって干渉を消去するようにさらに構成される、請求項１１に記載の装置。
【請求項１５】
前記少なくとも１つのプロセッサは、前記干渉を消去するようにさらに構成され、さらに、前記ネイバリングセルの受信電力強度と前記サービングセルの受信電力強度とに少なくとも部分的に基づく、請求項１１に記載の装置。
【請求項１６】
前記少なくとも１つのプロセッサは、前記サービングセルチャネルを推定するようにさらに構成され、前記サービングセルチャネルのＤＲＳトーンに少なくとも部分的に基づく、請求項１１に記載の装置。
【請求項１７】
ワイヤレスネットワークにおいてカバレージを向上させるための装置であって、
メモリと、
前記メモリに結合された少なくとも１つのプロセッサと
を備え、前記少なくとも１つのプロセッサは、
ネイバリングセルとサービングセルとの間の干渉を検出することと、
前記干渉が、前記サービングセルの専用基準信号（ＤＲＳ）トーンと衝突しているネイバリングセル制御トーンまたはネイバリングセルデータトーンからのものであることに少なくとも部分的に基づいて、あるいは前記干渉が、前記サービングセルの制御トーンまたはデータトーンと衝突しているネイバリングセルＤＲＳトーンからのものであることに少なくとも部分的に基づいて、前記干渉を消去することと
を行うように構成され、
ここにおいて、前記少なくとも１つのプロセッサは、
前記ネイバリングセルのＣＲＳまたは専用基準信号（ＤＲＳ）トーンに少なくとも部分的に基づいて前記ネイバリングセルのチャネルを推定することと、
前記ネイバリングセルの前記推定されたチャネルに少なくとも部分的に基づいて前記干渉を消去することと
によって干渉を消去するようにさらに構成される、装置。
【請求項１８】
前記少なくとも１つのプロセッサは、
ネイバリングセル制御チャネルおよびネイバリングセルデータチャネルのうちの少なくとも１つを復号／推定することと、
前記ネイバリングセル制御チャネルおよび前記ネイバリングセルデータチャネルのうちの前記少なくとも１つからの干渉を消去することと
によって干渉を消去するようにさらに構成される、請求項１７に記載の装置。
【請求項１９】
前記少なくとも１つのプロセッサは、
前記推定されたネイバリングセルＣＲＳ／ＤＲＳトーンからの干渉を推定し、消去することと、ネイバリングセル制御およびデータチャネルを復号／推定し、消去することと、前記サービングセルＣＲＳ／ＤＲＳトーンを消去することと、前記サービングセル制御およびデータチャネルのうちの少なくとも１つを消去することとを反復的に行うことと
によって干渉を消去するようにさらに構成される、請求項１８に記載の装置。
【請求項２０】
前記少なくとも１つのプロセッサは、
サービングセルＣＲＳ／ＤＲＳトーンを消去することと、
サービングセル制御チャネルおよびサービングセルデータチャネルのうちの少なくとも１つを消去することと、
前記推定されたネイバリングセルＣＲＳ／ＤＲＳトーンからの干渉を推定し、消去することと、ネイバリングセル制御およびデータチャネルを復号／推定し、消去することと、前記サービングセルＣＲＳ／ＤＲＳトーンを消去することと、前記サービングセル制御およびデータチャネルのうちの少なくとも１つを消去することとを反復的に行うことと
によって干渉を消去するようにさらに構成される、請求項１８に記載の装置。
【発明の詳細な説明】
【関連出願の相互参照】
【０００１】
[0001]  本出願は、２０１０年４月３０日に出願された「SYSTEMS AND METHODS FOR PROVIDING INTERFERENCE CANCELLATION IN WIRELESS COMMUNICATION NETWORKS」と題する米国仮特許出願第６１／３３０，１９２号の米国特許法第１１９条（ｅ）項に基づく利益を主張する、２０１１年４月２８日に出願された「INTERFERENCE CANCELLATION」と題する米国特許出願第１３，０９６，６６７号の一部継続特許出願であって、これら開示の全てが参照によって本明細書に明確に組み込まれる。
【技術分野】
【０００２】
[0002]  本開示の態様は一般にワイヤレス通信システムに関し、より詳細には、干渉消去を提供するためのシステムおよび方法に関する。
【背景技術】
【０００３】
[0003]  ワイヤレス通信ネットワークは、音声、ビデオ、パケットデータ、メッセージング、ブロードキャストなどの様々な通信サービスを提供するために広く展開されている。これらワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  ワイヤレス通信ネットワークは、いくつかのユーザ機器（ＵＥ：user equipment）のための通信をサポートできるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]  基地局は、ＵＥにダウンリンク上でデータおよび制御情報を送信し得、および／またはＵＥからアップリンク上でデータおよび制御情報を受信し得る。ダウンリンク上では、この基地局からの送信が、ネイバー(neighbor)基地局や他のワイヤレス無線周波数（ＲＦ）送信機からの送信による干渉に遭遇することがある。アップリンク上では、ＵＥからの送信が、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]  モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]  本開示のいくつかの態様によれば、異種ワイヤレスネットワークにおけるカバレージおよび／またはスループットを向上させるための方法は、ネイバリングセル(neighboring cell)とサービングセル(serving cell)との間の干渉を検出することを含む。本方法はまた、干渉が、衝突する共通基準信号（ＣＲＳ：Common Reference Signal）トーンを有するかどうかに基づいて、適応技法を使用して干渉を消去することを含み得る。本方法は、干渉が、衝突する専用基準信号（ＤＲＳ：Dedicated Reference Signal）トーン（例えば、復調基準信号（ＤＭＲＳ：Demodulation Reference Signal）トーン）を有するかどうかに基づいて、適応技法を使用して干渉を消去することを含み得る。例えば、専用基準信号（ＤＲＳ）は、ユーザ機器基準信号（ＵＥ−ＲＳ）、復調基準信号（ＤＭＲＳ）および／または他のユーザ機器固有基準信号を含み得る。
【０００８】
[0008]  本開示のいくつかの態様によれば、異種ワイヤレスネットワークにおけるカバレージおよび／またはスループットを向上させるための装置は、ネイバリングセルとサービングセルとの間の干渉を検出するための手段を含む。本装置はまた、干渉が、衝突する共通基準信号（ＣＲＳ）トーンを有するかどうかに基づいて、適応技法を使用して干渉を消去するための手段を含み得る。本装置は、干渉が、衝突する専用基準信号（ＤＲＳ）トーン（例えば、復調基準信号（ＤＭＲＳ）トーン）を有するかどうかに基づいて、適応技法を使用して干渉を消去するための手段を含み得る。
【０００９】
[0009]  本開示のいくつかの態様によれば、異種ワイヤレスネットワークにおけるカバレージおよび／またはスループットを向上させるための装置は、メモリとメモリに結合された少なくとも１つのプロセッサとを含む。（１つまたは複数の）プロセッサは、ネイバリングセルとサービングセルとの間の干渉を検出するように構成される。（１つまたは複数の）プロセッサは、干渉が、衝突する共通基準信号（ＣＲＳ）トーンを有するかどうかに基づいて、適応技法を使用して干渉を消去するようにさらに構成される。（１つまたは複数の）プロセッサは、干渉が、衝突する専用基準信号（ＤＲＳ）トーン（例えば、復調基準信号（ＤＭＲＳ）トーン）を有するかどうかに基づいて、適応技法を使用して干渉を消去するように構成される。
【００１０】
[0010]  本開示のいくつかの態様によれば、異種ワイヤレスネットワークにおけるカバレージおよび／またはスループットを向上させるためのコンピュータプログラム製品は、非一時的プログラムコードを記録したコンピュータ可読媒体を含む。プログラムコードは、ネイバリングセルとサービングセルとの間の干渉を検出するためのプログラムコードを含む。プログラムコードはまた、干渉が、衝突する共通基準信号（ＣＲＳ）トーンを有するかどうかに基づいて、適応技法を使用して干渉を消去するためのプログラムコードを含む。プログラムコードは、干渉が、衝突する専用基準信号（ＤＲＳ）トーン（例えば、復調基準信号（ＤＭＲＳ）トーン）を有するかどうかに基づいて、適応技法を使用して干渉を消去するためのプログラムコードを含み得る。
【００１１】
[0011]  ここでは、以下の発明を実施するための形態がより良く理解され得るように、本開示の特徴および技術的利点がやや広く概説されている。本開示の追加の特徴および利点が以下に説明される。当業者には、本開示が他の構造を変更または設計して本開示の同一目的を為すための基礎としてすぐに利用され得ることを諒解されたい。また、当業者には、そのような等価な構成が添付の特許請求の範囲に記載の本開示の教示から逸脱しないことも認識されたい。さらなる目的および利点とともに本開示の構成と動作の方法の両方に関して本開示を特徴づけると考えられる新規の特徴は、添付の図に関連して以下の説明を考察した場合により良く理解されよう。但し、図の各々は、例示および説明のみの目的で与えられたものであって、本開示の限界を定めるものではないことを明確に理解されたい。
【００１２】
[0012]  本開示の特徴、特性、および利点は、全体を通じて同様の参照符号が同様のものを指す図面とともに、以下に記載する発明を実施するための形態を読めばより明らかになろう。
【図面の簡単な説明】
【００１３】
【図１】電気通信システムの一例を概念的に示すブロック図である。
【図２】電気通信システムにおけるダウンリンクフレーム構造の一例を概念的に示す図である。
【図３】アップリンク通信における例示的なフレーム構造を概念的に示すブロック図である。
【図４】本開示の一態様に従って構成される基地局／ｅノードＢおよびＵＥの設計を概念的に示すブロック図である。
【図５】本開示の一態様による、異種ネットワークにおける適応リソース区分を概念的に示すブロック図である。
【図６Ａ】本開示の一態様による、干渉消去（ＩＣ）が行われる前の衝突する共通基準信号（ＣＲＳ）シナリオを概念的に示すブロック図である。
【図６Ｂ】本開示の一態様による、干渉消去（ＩＣ）が行われる前の衝突する専用基準信号（ＤＲＳ）シナリオを概念的に示すブロック図である。
【図７Ａ】本開示の一態様による、ＣＲＳ干渉消去がＵＥによって行われた後の衝突するＣＲＳシナリオを概念的に示すブロック図である。
【図７Ｂ】本開示の一態様による、ＤＲＳ干渉消去がＵＥによって行われた後の衝突するＤＲＳシナリオを概念的に示すブロック図である。
【図８Ａ】本開示の一態様による、干渉消去が行われる前の衝突しないＣＲＳシナリオを概念的に示すブロック図である。
【図８Ｂ】本開示の一態様による、干渉消去が行われる前の衝突しないＤＲＳシナリオを概念的に示すブロック図である。
【図９Ａ】本開示の一態様による、干渉消去がネイバーセルＣＲＳトーンに対して行われた後の衝突しないＣＲＳシナリオを概念的に示すブロック図である。
【図９Ｂ】本開示の一態様による、干渉消去がネイバーセルＤＲＳトーンに対して行われた後の衝突しないＤＲＳシナリオを概念的に示すブロック図である。
【図１０Ａ】本開示の一態様による、干渉消去がネイバーセルＣＲＳトーンとネイバーセル制御／データチャネルとに対して行われた後の衝突しないＣＲＳシナリオを概念的に示すブロック図である。
【図１０Ｂ】本開示の一態様による、干渉消去がネイバーセルＤＲＳトーンとネイバーセル制御／データチャネルとに対して行われた後の衝突しないＤＲＳシナリオを概念的に示すブロック図である。
【図１１】本開示の一態様を実施するために実行される例示的なブロックを示す機能ブロック図である。
【発明を実施するための形態】
【００１４】
[0029]  添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。但し、これら概念がこれらの具体的な詳細なしに実施され得ることは当業者に明らかであろう。いくつかの例では、よく知られた構造および構成要素がこうした概念を不明瞭にすることを回避するためにブロック図の形式で示される。
【００１５】
[0030]  本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実施し得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実施し得る。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ（登録商標））は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ（登録商標）：3rd Generation Partnership Project）と称する団体からの文書に記載されている。ＣＤＭＡ２０００は、「第３世代パートナーシッププロジェクト２」（３ＧＰＰ２：3rd Generation Partnership Project 2）と称する団体からの文書に記載されている。これらの様々な無線技術および規格が当技術分野で知られている。明快のために、本技法のいくつかの態様について以下ではＬＴＥに関して説明し、以下の説明の大部分でＬＴＥ用語を使用する。
【００１６】
[0031]  本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語はしばしば互換的に使用される。ＣＤＭＡネットワークは、ユニバーサル地上波無線アクセス（ＵＴＲＡ）、米国電気通信工業会（ＴＩＡ：Telecommunications Industry Association）のＣＤＭＡ２０００（登録商標）などの無線技術を実施し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ）などの無線技術を実施し得る。ＯＦＤＭＡネットワークは、発展型ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実施し得る。ＵＴＲＡ技術およびＥ−ＵＴＲＡ技術は、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２）と呼ばれる団体からの文書に記載されている。本明細書で説明される技法は、上記のワイヤレスネットワークおよび無線アクセス技術、並びに他のワイヤレスネットワークおよび無線アクセス技術に使用され得る。理解し易いように、本技法のいくつかの態様がＬＴＥまたはＬＴＥ−Ａ（代替として一緒に「ＬＴＥ／−Ａ」と呼ばれる）に関して以下に説明され、以下の説明の多くでそのようなＬＴＥ／−Ａ用語を使用する。
【００１７】
[0032]  図１に、ワイヤレス通信ネットワーク１００を示し、これはＬＴＥ−Ａネットワークであり得る。ワイヤレスネットワーク１００は、いくつかの発展型ノードＢ（ｅノードＢ）１１０と他のネットワークエンティティとを含む。ｅノードＢは、ＵＥと通信する局であり得、基地局、ノードＢ、アクセスポイントなどと呼ばれることもある。各ｅノードＢ１１０は、特定の地理的エリアに通信カバレージを提供し得る。３ＧＰＰにおいて、「セル」という用語は、この用語が使用されるコンテキストに応じて、ｅノードＢのこの特定の地理的カバレージエリアおよび／またはこのカバレージエリアをサービスするｅノードＢサブシステムを指すことがある。
【００１８】
[0033]  ｅノードＢは、マクロセル、ピコセル、フェムトセル、および／または他のタイプのセルに通信カバレージを提供し得る。マクロセルは、概して、比較的大きい地理的エリア（例えば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（例えば、自宅）をカバーすることになり、無制限アクセスに加えて、フェムトセルとの関連を有するＵＥ（例えば、限定加入者グループ（ＣＳＧ：closed subscriber group）中のＵＥ、自宅内のユーザのためのＵＥなど）による制限付きアクセスをも可能にし得る。マクロセルのためのｅノードＢはマクロｅノードＢと呼ばれることがある。ピコセルのためのｅノードＢはピコｅノードＢと呼ばれることがある。さらに、フェムトセルのためのｅノードＢはフェムトｅノードＢまたはホームｅノードＢと呼ばれることがある。図１に示す例では、ｅノードＢ１１０ａ、１１０ｂおよび１１０ｃが、それぞれマクロセル１０２ａ、１０２ｂおよび１０２ｃのためのマクロｅノードＢである。ｅノードＢ１１０ｘは、ピコセル１０２ｘのためのピコｅノードＢである。さらに、ｅノードＢ１１０ｙおよび１１０ｚは、それぞれフェムトセル１０２ｙおよび１０２ｚのためのフェムトｅノードＢである。ｅノードＢは、１つまたは複数の（例えば、２つ、３つ、４つなどの）セルをサポートし得る。
【００１９】
[0034]  ワイヤレスネットワーク１００はまた、中継局を含み得る。中継局は、上流局（例えば、ｅノードＢまたはＵＥ）からデータおよび／または他の情報の送信を受信し、そのデータおよび／または他の情報の送信を下流局（例えば、ＵＥまたはｅノードＢ）に送る局である。中継局はまた、他のＵＥに対する送信を中継するＵＥであり得る。図１に示す例では、中継局１１０ｒが、ｅノードＢ１１０ａとＵＥ１２０ｒとの間の通信を助けるために、ｅノードＢ１１０ａおよびＵＥ１２０ｒと通信し得る。中継局は、リレーｅノードＢ、リレーなどと呼ばれることもある。
【００２０】
[0035]  ワイヤレスネットワーク１００は、異なるタイプのｅノードＢ、例えば、マクロｅノードＢ、ピコｅノードＢ、フェムトｅノードＢ、リレーなどを含む異種ネットワークであり得る。これらの異なるタイプのｅノードＢは、異なる送信電力レベル、異なるカバレージエリア、およびワイヤレスネットワーク１００における干渉に対する異なる影響を有し得る。例えば、マクロｅノードＢは、高い送信電力レベル（例えば、２０ワット）を有し得るが、ピコｅノードＢ、フェムトｅノードＢおよびリレーは、より低い送信電力レベル（例えば、１ワット）を有し得る。
【００２１】
[0036]  ワイヤレスネットワーク１００は同期動作をサポートし得る。同期動作の場合、ｅノードＢは同様のフレームタイミングを有し得、異なるｅノードＢからの送信は近似的に時間的に整合され得る。
【００２２】
[0037]  一態様では、ワイヤレスネットワーク１００が、周波数分割複信（ＦＤＤ）動作モードまたは時分割複信（ＴＤＤ）動作モードをサポートし得る。本明細書で説明される技法は、ＦＤＤ動作モードまたはＴＤＤ動作モードのいずれかのために使用され得る。
【００２３】
[0038]  ネットワークコントローラ１３０は、ｅノードＢ１１０のセットに結合し、これらのｅノードＢ１１０の協調および制御を行い得る。ネットワークコントローラ１３０は、バックホールを介してｅノードＢ１１０と通信し得る。ｅノードＢ１１０はまた、例えば、ワイヤレスバックホールまたはワイヤラインバックホールを介して直接または間接的に互いに通信し得る。
【００２４】
[0039]  ＵＥ１２０はワイヤレスネットワーク１００全体にわたって分散され、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレットなどであり得る。ＵＥは、マクロｅノードＢ、ピコｅノードＢ、フェムトｅノードＢ、リレーなどと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００２５】
[0040]  ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。例えば、サブキャリアの間隔は１５ｋＨｚであり得、（「リソースブロック」と呼ばれる）最小リソース割振りは１２個のサブキャリア（または１８０ｋＨｚ）であり得る。従って、公称ＦＦＴサイズは、１．２５、２．５、５、１０または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。例えば、サブバンドは１．０８ＭＨｚ（すなわち、６つのリソースブロック）をカバーし得、１．４、３、５、１０、１５または２０ＭＨｚの対応するシステム帯域幅に対してそれぞれ１つ、２つ、４つ、８つまたは１６個のサブバンドがあり得る。
【００２６】
[0041]  図２に、ＬＴＥにおいて使用されるダウンリンクＦＤＤフレーム構造を示す。ダウンリンクの送信タイムラインは無線フレームの単位に区分され得る。各無線フレームは、所定の持続時間（例えば、１０ミリ秒（ｍｓ））を有し得、０〜９のインデックスをもつ１０個のサブフレームに区分され得る。各サブフレームは２つのスロットを含み得る。従って、各無線フレームは、０〜１９のインデックスをもつ２０個のスロットを含み得る。各スロットは、Ｌ個のシンボル期間、例えば、（図２に示されるように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（例えば、１２個のサブキャリア）をカバーし得る。
【００２７】
[0042]  ＬＴＥでは、ｅノードＢが、ｅノードＢ中の各セルについて１次同期信号（ＰＳＣまたはＰＳＳ：primary synchronization signal）と２次同期信号（ＳＳＣまたはＳＳＳ：secondary synchronization signal）とを送り得る。ＦＤＤ動作モードの場合、１次同期信号および２次同期信号は、図２に示されるように、それぞれ、ノーマルサイクリックプレフィックスをもつ各無線フレームのサブフレーム０および５の各々中のシンボル期間６および５において送られ得る。同期信号は、セル検出および収集のためにＵＥによって使用され得る。ＦＤＤ動作モードの場合、ｅノードＢは、サブフレーム０のスロット１中のシンボル期間０〜３において物理ブロードキャストチャネル（ＰＢＣＨ：Physical Broadcast Channel）を送り得る。ＰＢＣＨはあるシステム情報を搬送し得る。
【００２８】
[0043]  ｅノードＢは、図２に示されるように、各サブフレームの第１のシンボル期間において物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、例えば、リソースブロックが１０個未満である、小さいシステム帯域幅では４に等しくなり得る。図２に示す例では、Ｍ＝３である。ｅノードＢが、各サブフレームの最初のＭ個のシンボル期間において物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。また、図２に示す例では、ＰＤＣＣＨおよびＰＨＩＣＨが最初の３つのシンボル期間中に含まれている。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。ｅノードＢは、各サブフレームの残りのシンボル期間において物理ダウンリンク共有チャネル（ＰＤＳＣＨ：Physical Downlink Shared Channel）を送り得る。ＰＤＳＣＨは、ダウンリンク上でのデータ送信がスケジュールされたＵＥのためのデータを搬送し得る。
【００２９】
[0044]  ｅノードＢは、ｅノードＢによって使用されるシステム帯域幅の中心１．０８ＭＨｚにおいてＰＳＣ、ＳＳＣおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分においてＵＥのグループにＰＤＳＣＨを送り得る。ｅノードＢは、全てのＵＥにブロードキャスト方式でＰＳＣ、ＳＳＣ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００３０】
[0045]  各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。制御チャネルのために使用されるシンボルの場合、各シンボル期間において基準信号のために使用されないリソース要素は、リソース要素グループ（ＲＥＧ）に構成され得る。各ＲＥＧは、１つのシンボル期間中の４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。例えば、ＰＨＩＣＨのための３つのＲＥＧは、全てシンボル期間０に属し得るか、またはシンボル期間０、１および２に拡散され得る。ＰＤＣＣＨは、最初のＭ個のシンボル期間において、利用可能なＲＥＧから選択され得る、９、１８、３６または７２個のＲＥＧを占有し得る。ＲＥＧのいくつかの組合せのみがＰＤＣＣＨに対して可能にされ得る。
【００３１】
[0046]  ＵＥは、ＰＨＩＣＨとＰＣＦＩＣＨとのために使用される特定のＲＥＧを知り得る。ＵＥは、ＰＤＣＣＨのためのＲＥＧの様々な組合せを探索し得る。探索すべき組合せの数は、一般に、ＰＤＣＣＨ中の全てのＵＥに対して可能にされる組合せの数よりも少ない。ｅノードＢは、ＵＥが探索することになる組合せのいずれかにおいてＵＥにＰＤＣＣＨを送り得る。
【００３２】
[0047]  ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００３３】
[0048]  図３は、アップリンクロングタームエボリューション（ＬＴＥ）通信における例示的なＦＤＤおよびＴＤＤ（特殊ではないサブフレームのみ）サブフレーム構造を概念的に示すブロック図である。アップリンクのために利用可能なリソースブロック（ＲＢ）は、データセクションと制御セクションとに区分され得る。制御セクションは、システム帯域幅の２つのエッジで形成され得、構成可能なサイズを有し得る。制御セクション中のリソースブロックは、制御情報の送信のためにＵＥに割り当てられ得る。データセクションは、制御セクション中に含まれない全てのリソースブロックを含み得る。図３の設計は、単一のＵＥがデータセクション中の連続サブキャリアの全てを割り当てられることを可能にし得る、連続サブキャリアを含むデータセクションを生じる。
【００３４】
[0049]  ＵＥは、ｅノードＢに制御情報を送信するために、制御セクション中のリソースブロックを割り当てられ得る。ＵＥは、ｅノードＢにデータを送信するために、データセクション中のリソースブロックをも割り当てられ得る。ＵＥは、制御セクション中の割り当てられたリソースブロック上の物理アップリンク制御チャネル（ＰＵＣＣＨ：Physical Uplink Control Channel）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示されるように周波数上でホッピングし得る。一態様によれば、緩和シングルキャリア動作において、並列チャネルがＵＬリソース上で送信され得る。例えば、制御およびデータチャネル、並列制御チャネル、並びに並列データチャネルがＵＥによって送信され得る。
【００３５】
[0050]  ＰＳＣ、ＳＳＣ、ＣＲＳ、ＤＲＳ、ＰＢＣＨ、ＰＵＣＣＨ、ＰＵＳＣＨ、並びにＬＴＥ／−Ａにおいて使用される他のそのような信号およびチャネルは、公開されている「Evolved Universal Terrestrial Radio Access (E-UTRA); Physical Channels and Modulation」と題する３ＧＰＰ  ＴＳ  ３６．２１１に記載されている。
【００３６】
[0051]  図４に、図１中の基地局／ｅノードＢのうちの１つであり得る基地局／ｅノードＢ１１０および図１中のＵＥのうちの１つであり得るＵＥ１２０の設計のブロック図を示す。基地局１１０は、図１中のマクロｅノードＢ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００３７】
[0052]  基地局１１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ４２０は、データシンボルおよび制御シンボルを取得するために、それぞれデータおよび制御情報を処理（例えば、符号化およびシンボルマッピング）し得る。プロセッサ４２０はまた、例えば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を行い得、出力シンボルストリームを変調器（ＭＯＤ）４３２ａ〜４３２ｔに供給し得る。各変調器４３２は、出力サンプルストリームを取得するために、（例えば、ＯＦＤＭなどのために）それぞれの出力シンボルストリームを処理し得る。各変調器４３２はさらに、ダウンリンク信号を取得するために、出力サンプルストリームを処理（例えば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００３８】
[0053]  ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに供給し得る。各復調器４５４は、入力サンプルを取得するために、それぞれの受信信号を調整（例えば、フィルタ処理、増幅、ダウンコンバート、およびデジタル化）し得る。各復調器４５４は、さらに、受信シンボルを取得するために、（例えば、ＯＦＤＭなどのために）入力サンプルを処理し得る。ＭＩＭＯ検出器４５６は、全ての復調器４５４ａ〜４５４ｒから受信シンボルを取得し、適用可能な場合は受信シンボルに対してＭＩＭＯ検出を行い、検出シンボルを提供し得る。受信プロセッサ４５８は、検出されたシンボルを処理（例えば、復調、デインターリーブ、および復号）し、ＵＥ１２０の復号されたデータをデータシンク４６０に供給し、復号された制御情報をコントローラ／プロセッサ４８０に供給し得る。
【００３９】
[0054]  アップリンク上では、ＵＥ１２０で、送信プロセッサ４６４が、データソース４６２から（例えば、ＰＵＳＣＨのための）データを受信し、処理し得、コントローラ／プロセッサ４８０から（例えば、ＰＵＣＣＨのための）制御情報を受信し、処理し得る。プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、さらに（例えば、ＳＣ−ＦＤＭなどのために）変調器４５４ａ〜４５４ｒによって処理され、基地局１１０に送信され得る。基地局１１０で、ＵＥ１２０からのアップリンク信号は、アンテナ４３４によって受信され、復調器４３２によって処理され、適用可能な場合はＭＩＭＯ検出器４３６によって検出され、ＵＥ１２０によって送られた復号されたデータおよび制御情報を取得するために、さらに受信プロセッサ４３８によって処理され得る。プロセッサ４３８は、復号されたデータをデータシンク４３９に供給し、復号された制御情報をコントローラ／プロセッサ４４０に供給し得る。基地局１１０は、例えば、Ｘ２インターフェース４４１を介して他の基地局にメッセージを送ることができる。
【００４０】
[0055]  コントローラ／プロセッサ４４０および４８０は、それぞれ基地局１１０およびＵＥ１２０での動作を指示し得る。基地局１１０でのプロセッサ４４０および／または他のプロセッサおよびモジュールは、本明細書で説明される技法のための様々なプロセスの実行を行うか指示し得る。ＵＥ１２０でのプロセッサ４８０および／または他のプロセッサおよびモジュールはまた、図１１に示す機能ブロック、および／または本明細書で説明される技法のための他のプロセスの実行を行うか指示し得る。メモリ４４２および４８２は、それぞれ基地局１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００４１】
[0056]  図５は、本開示の一態様による、異種ネットワークにおけるＴＤＭ区分を示すブロック図である。ブロックの第１の行はフェムトｅノードＢのためのサブフレーム割当てを示し、ブロックの第２の行はマクロｅノードＢのためのサブフレーム割当てを示す。ｅノードＢの各々が静的保護サブフレームを有し、その間、他方のｅノードＢは静的禁止サブフレームを有する。例えば、フェムトｅノードＢは、サブフレーム０における禁止サブフレーム（Ｎサブフレーム）に対応する、サブフレーム０における保護サブフレーム（Ｕサブフレーム）を有する。同様に、マクロｅノードＢは、サブフレーム７における禁止サブフレーム（Ｎサブフレーム）に対応する、サブフレーム７における保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。サブフレーム５および６中の動的に割り当てられた共通サブフレーム（ＡＣ）中に、フェムトｅノードＢとマクロｅノードＢの両方がデータを送信し得る。
【００４２】
[0057]  保護サブフレーム（Ｕ／ＡＵサブフレームなど）では、アグレッサｅノードＢが送信を禁止されるので、干渉が低減され、チャネル品質が高い。禁止サブフレーム（Ｎ／ＡＮサブフレームなど）では、ビクティムｅノードＢが低い干渉レベルでデータを送信できるように、データが送信されない。共通サブフレーム（Ｃ／ＡＣサブフレームなど）では、チャネル品質が、データを送信するネイバーｅノードＢの数に依存する。例えば、ネイバーｅノードＢが共通サブフレーム上でデータを送信している場合、共通サブフレームのチャネル品質は保護サブフレームよりも低くなり得る。共通サブフレーム上のチャネル品質はまた、アグレッサｅＮＢによって強く影響を及ぼされる拡張境界エリア（ＥＢＡ）ＵＥではより低くなり得る。ＥＢＡ  ＵＥは、第１のｅノードＢに属し得るが、第２のｅノードＢのカバレージエリア中にも位置し得る。例えば、フェムトｅノードＢカバレージの範囲限界の近くにあるマクロｅノードＢと通信しているＵＥは、ＥＢＡ  ＵＥである。この拡張境界エリア概念はまた、「範囲拡大」と呼ばれる。
【００４３】
[0058]  ＬＴＥ／−Ａにおいて採用され得る別の例示的な干渉管理方式は、低速適応（slowly-adaptive）干渉管理である。この手法を干渉管理に使用すると、スケジューリング間隔よりもはるかにより大きい時間スケールにわたってリソースがネゴシエートされ、割り振られる。本方式の目的は、ネットワークの総ユーティリティを最大にする、時間または周波数リソースの全てにわたる、送信ｅＮＢおよびＵＥの全てのための送信電力の組合せを発見することである。「ユーティリティ」は、ユーザデータレート、サービス品質（ＱｏＳ）フローの遅延、および公平性メトリックの関数として定義され得る。そのようなアルゴリズムは、最適化を解決するために使用される情報の全てにアクセスでき、送信エンティティの全てを制御する中央エンティティ、例えば、ネットワークコントローラ１３０（図１）などによって計算され得る。この中央エンティティは、常に実際的であるとは限らず、さらには望ましいとは限らないことがある。従って、代替態様では、ノードのあるセットからのチャネル情報に基づいてリソース使用状況決定を行う分散アルゴリズムが使用され得る。従って、低速適応干渉アルゴリズムは、中央エンティティを使用するか、またはネットワーク中のノード／エンティティの様々なセットにわたってアルゴリズムを配信することによってのいずれかで展開され得る。
【００４４】
[0059]  ワイヤレスネットワーク１００のような異種ネットワークの展開において、ＵＥは、ＵＥが１つまたは複数の干渉ｅノードＢからの高い干渉を観測し得る支配的干渉シナリオにおいて動作し得る。支配的干渉シナリオは、制限された関連付けにより発生し得る。例えば、図１では、ＵＥ１２０ｙが、フェムトｅノードＢ１１０ｙに近接し得、ｅノードＢ１１０ｙについて高い受信電力を有し得る。しかしながら、ＵＥ１２０ｙは、制限付き関連付けによりフェムトｅノードＢ１１０ｙにアクセスすることが可能でないことがあり、次いで、（図１に示されるように）マクロｅノードＢ１１０ｃに、または（図１に示されていない）同じくより低い受信電力をもつフェムトｅノードＢ１１０ｚに接続し得る。その場合、ＵＥ１２０ｙは、ダウンリンク上でフェムトｅノードＢ１１０ｙからの高い干渉を観測し得、また、アップリンク上でｅノードＢ１１０ｙに高い干渉を引き起こし得る。協調干渉管理を使用すると、ｅノードＢ１１０ｃとフェムトｅノードＢ１１０ｙとは、リソースをネゴシエートするためにバックホールを介して通信し得る。ネゴシエーションにおいて、フェムトｅノードＢ１１０ｙは、それのチャネルリソースのうちの１つの上での送信を中止することに同意し、それにより、ＵＥ１２０ｙがその同じチャネルを介してｅノードＢ１１０ｃと通信するときと同程度の、フェムトｅノードＢ１１０ｙからの干渉を、ＵＥ１２０ｙが受けないことになる。
【００４５】
[0060]  そのような支配的干渉シナリオにおいてＵＥで観測される信号電力の相異に加えて、ＵＥと複数のｅノードＢとの間の距離が異なるために、同期システム中でも、ダウンリンク信号のタイミング遅延もＵＥによって観測され得る。同期システム中のｅノードＢは、推論上、システムにわたって同期される。しかしながら、例えば、マクロｅノードＢから５ｋｍの距離にあるＵＥについて考察すると、そのマクロｅノードＢから受信された任意のダウンリンク信号の伝搬遅延は、約１６．６７μｓ（５ｋｍ÷３×１０８、すなわち、光速、「ｃ」）遅延されるであろう。マクロｅノードＢからのそのダウンリンク信号を、はるかに近いフェムトｅノードＢからのダウンリンク信号と比較すると、タイミング差は時間トラッキングループ（ＴＴＬ）誤差のレベルに近づくことがある。
【００４６】
[0061]  加えて、そのようなタイミング差は、ＵＥでの干渉消去に影響を及ぼし得る。干渉消去は、同じ信号の複数のバージョンの組合せ間の相互相関特性をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わせられた信号の相互相関を使用すると、実際の信号部分が決定され、干渉と区別され得、従って干渉を消去することが可能になる。
【００４７】
干渉消去
[0062]  上述のように、同一チャネル異種ネットワーク展開において、ＵＥは、より強いセルの代わりに弱いセルに接続する必要があり得る。例えば、範囲拡大状況で、より小さい経路損失を有する弱いセル（例えば、ピコ）からの受信電力は、より強いセル（例えば、マクロ）からの受信電力よりも低いものであるが、ＵＥを弱いセルと関連付けることは有益である。制限付き関連付け（すなわち、限定加入者グループ（ＣＳＧ）状況）の場合、より強いセル（例えば、フェムト）はＵＥにとってアクセス可能でないことがあり、従って、ＵＥはより弱いセル（例えば、マクロ）に接続する。いずれの場合も、ＵＥは、干渉消去（ＩＣ）が適用され得る強い干渉状態の下にある。
【００４８】
[0063]  一例では、同種ネットワークなどで、ＵＥがより強いセルによってサービスされるときでも、ＵＥは、引き続き、ネイバリングセル送信からの干渉を受け得る。
【００４９】
[0064]  例示的なＬＴＥ−Ａネットワークでは、「セル」という用語が、ＬＴＥ−Ａ規格に準拠して論理セル定義に関連付けられ得る。例えば、いくつかの多地点協調（ＣｏＭＰ）展開シナリオでは、セルＩＤが、マクロセクタだけでなく、マクロセクタ内のピコセルおよび／またはリモートラジオヘッド（ＲＲＨ）も含む複数の地理的エンティティに及び得る。そのような展開では、地理的にコロケートされたアンテナのサブセット（例えば、同じピコセルからの全てのアンテナ）が、しばしば送信ポイントと呼ばれる。そのような展開において、本出願で、我々は、制御チャネルおよび／またはデータチャネルがどこで送信されるかに応じて、送信ポイントまたは論理セル全体のどちらかを指すために「セル」という用語を使用する。例えば、ＤＲＳを搬送するいくつかの制御チャネルおよびデータチャネルは送信ポイントから送信され得、その場合に、我々は「セル」という用語を送信ポイントを指すために使用する。別の例で、ＤＲＳを搬送しないいくつかの制御チャネルおよびデータチャネルはセルＩＤに属する全ての送信アンテナから送信され得、これらアンテナは地理的にコロケートされないことがある。そのような場合、我々は「セル」という用語を論理セルを指すために使用する。
【００５０】
[0065]  上述されたように、干渉消去は、様々なネットワーク展開において必要とされ得る。例えば、干渉消去は、異なるチャネルに適用され得、例えば、限定はしないが、共通基準信号（ＣＲＳ）、専用基準信号（ＤＲＳ）、チャネル状態情報基準信号（ＣＳＩ−ＲＳ：Channel State Information Reference Signal）、制御チャネル（ＰＣＦＩＣＨ、ＰＨＩＣＨ、ＰＤＣＣＨ、Ｒ−ＰＨＩＣＨ、Ｒ−ＰＤＣＣＨ、ｅＰＤＣＣＨなど）、およびデータチャネル（ＰＤＳＣＨ、Ｒ−ＰＤＳＣＨ）に適用され得る。
【００５１】
[0066]  いくつかのチャネル、最も顕著には共通基準信号（ＣＲＳ）トーンおよび／またはＤＲＳトーンは、既知のシーケンスを有する。従って、消去されるべきセルのチャネルは、ＣＲＳトーンまたはＤＲＳトーンに基づいて推定され得る。例えば、ＵＥは、ｅＮＢとＵＥとの間のチャネルの推定値を取得するために、ｅＮＢから送信されたＣＲＳトーンおよび／またはＤＲＳトーンを使用する。次いで、ＵＥは、チャネル推定値と既知のシーケンスとに基づいてＣＲＳトーンまたはＤＲＳトーンを再構成し、ＣＲＳトーンまたはＤＲＳトーンを消去する。本明細書では、ＣＲＳおよび／またはＤＲＳ再構成、並びに消去プロシージャが、「ＲＳ干渉消去」と呼ばれる。
【００５２】
[0067]  制御チャネル（ＰＢＣＨ、ＰＣＦＩＣＨ、ＰＨＩＣＨ、ＰＤＣＣＨ、Ｒ−ＰＨＩＣＨ（リレーＰＨＩＣＨ）、Ｒ−ＰＤＣＣＨ（リレーＰＤＣＣＨ）など）およびいくつかのデータチャネル（ＰＤＳＣＨ、Ｒ−ＰＤＳＣＨ（リレーＰＤＳＣＨ）など）は、未知のペイロードを有する。専用基準信号（ＤＲＳ）トーン（例えば、復調基準信号（ＤＭＲＳ）トーン）を搬送しない制御チャネルおよびデータチャネルの場合、ＵＥは、チャネルを復号し、再符号化し、再構成し、消去するために、ＣＲＳトーンから取得されたチャネル推定値に依拠する。埋込みＤＲＳトーン（例えば、復調基準信号（ＤＭＲＳ）トーン）を有する制御チャネルおよびデータチャネルの場合、ＵＥは、チャネルを復号し、再符号化し、再構成し、消去するために、ＤＲＳトーン（例えば、復調基準信号（ＤＭＲＳ）トーン）から取得されたチャネル推定値に依拠し得る。チャネル推定値を取得するためにＣＲＳトーンを使用するのかＤＲＳトーン（例えば、復調基準信号（ＤＭＲＳ）トーン）を使用するのかは、チャネルのタイプ、送信モード、および／または他のパラメータに少なくとも部分的に基づき得る。例えば、専用基準信号（ＤＲＳ）トーンは、要求に少なくとも部分的に基づいて各チャネルのために送信され得る。例えば、上記で見つけられたように、ＤＲＳトーンは、対応するチャネルのチャネル推定値を取得するために、制御／データチャネルとともに同じリソースブロック中に埋め込まれ得る。本明細書では、制御および／またはデータチャネル再符号化、再構成および消去プロシージャが、「制御／データチャネル干渉消去」と呼ばれる。
【００５３】
[0068]  制御／データチャネル干渉消去を行うための様々な技法がある。例えば、制御／データチャネル干渉消去は、巡回冗長検査（ＣＲＣ）ベースのＩＣであり得、ここにおいて、制御／データチャネルは、制御／データチャネルの復号されたペイロードがＣＲＣに合格する場合のみ消去される。別の例では、制御／データチャネルＩＣがソフトＩＣであり得、ここにおいて、制御／データチャネルは、それがＣＲＣに合格しないときでも消去され、その場合、消去は送信されたシンボルのソフト再構成に基づく。
【００５４】
[0069]  ＬＴＥ／ＬＴＥ−Ａでは、あるセルのＣＲＳトーンが別のセルのＣＲＳトーンと衝突するか（「衝突するＣＲＳ」）、または制御／データトーンと衝突し得る（「衝突しないＣＲＳ」）。サービングセルのＣＲＳトーンがネイバリングセルのＣＲＳトーンと衝突する（「衝突するＣＲＳ」）かどうかは、２つのセルのセルＩＤに依存する。ＣＲＳトーンへの制御／データチャネル干渉消去の依存性のために、衝突するＣＲＳシナリオおよび衝突しないＣＲＳシナリオの各々に好適な異なる干渉消去アルゴリズムを有することが有益であろう。
【００５５】
[0070]  別の例では、ＬＴＥ／ＬＴＥ−Ａにおいて、あるセルのＤＲＳトーン（例えば、復調基準信号（ＤＭＲＳ）トーン）が別のセルのＤＲＳトーン（例えば、復調基準信号（ＤＭＲＳ）トーン）と衝突するか（「衝突するＤＲＳ」）、または制御／データトーンと衝突し得る（「衝突しないＤＲＳ」）。サービングセルのＤＲＳトーン（例えば、復調基準信号（ＤＭＲＳ）トーン）がネイバリングセルのＤＲＳトーン（例えば、復調基準信号（ＤＭＲＳ）トーン）と衝突するかどうか（「衝突するＤＲＳ」）は、ファクタの中でも、許可中のＤＲＳトーンの数に依存し得る。例えば、サービングセルからのＰＤＳＣＨ送信が２つのＤＲＳポートを有し、ネイバリングセルからのＰＤＳＣＨ送信が４つのＤＲＳポートを有する場合、「衝突しないＤＲＳシナリオが作成され得る。別の例では、ネイバリングセルからのＰＤＳＣＨ送信がＣＲＳトーン（例えば、ＤＲＳポートでない）に基づくと同時に、サービングセルからのＰＤＳＣＨ送信が２つのＤＲＳポートを有する場合、「衝突しないＤＲＳ」シナリオが作成され得る。ＤＲＳトーンへの制御／データチャネル干渉消去の依存性のために、衝突するＤＲＳシナリオおよび衝突しないＤＲＳシナリオの各々に好適な異なる干渉消去アルゴリズムを有することが有益であろう。
【００５６】
[0071]  図６Ａは、本開示の一態様による、干渉消去が行われる前の衝突するＣＲＳシナリオを概念的に示すブロック図である。図６Ａでは、水平軸が周波数を表す。基準信号（例えば、ＣＲＳ）トーンおよび制御／データトーンは、ネイバーセルおよびサービングセルのサブキャリアについて示される。図６Ａに示されるように、サービングセルＣＲＳトーンは、ネイバーセルのＣＲＳトーンからの干渉を受ける。干渉消去結果を改善するために、一態様によれば、ＵＥは、衝突するＣＲＳトーンシナリオにおけるＣＲＳ干渉消去と制御／データチャネル干渉消去とを分離する。すなわち、ＵＥは、最初に、サービングセルチャネルを推定するためにＣＲＳ干渉消去を行い、次いで、ネイバーセルおよびサービングセル制御／データチャネル干渉消去および復号を進める。
【００５７】
[0072]  図６Ｂは、本開示の一態様による、干渉消去が行われる前の衝突するＤＲＳシナリオを概念的に示すブロック図である。図６Ｂでは、水平軸が周波数を表す。基準信号（例えば、ＤＲＳ）トーンおよび制御／データトーンは、ネイバーセルおよびサービングセルのサブキャリアについて示される。図６Ｂに示されるように、サービングセルＤＲＳトーンは、ネイバーセルのＤＲＳトーンからの干渉を受け得る。干渉消去結果を改善するために、ＵＥは、衝突するＤＲＳトーン（例えば、復調基準信号（ＤＭＲＳ）トーン）シナリオにおけるＤＲＳ干渉消去と制御／データチャネル干渉消去とを分離し得る。すなわち、ＵＥは、最初に、サービングセルチャネルを推定するためにＤＲＳ（例えば、復調基準信号（ＤＭＲＳ））干渉消去を行い、次いで、ネイバーセルおよびサービングセル制御／データチャネル干渉消去および復号を進める。
【００５８】
[0073]  図７Ａは、本開示の一態様による、分離されたＣＲＳ干渉消去がＵＥによって行われた後の衝突するＣＲＳシナリオを概念的に示すブロック図である。干渉消去が（白で示される）ネイバーセルＣＲＳトーンに基づいて行われた後、サービングセルＣＲＳトーンは、強い干渉をもはや受けない。従って、サービングセルチャネル推定は、より正確になる。次いで、干渉消去は、ネイバーセル制御／データチャネルを消去し、サービングセル制御／データチャネルを正確に復号するために、ネイバーセル制御／データチャネルに基づいて行われる。いくつかの例で、プロセスは、例えば、セルがほぼ等しい強度のものであるときに、追加するために反復的に行われる。
【００５９】
[0074]  図７Ｂは、本開示の一態様による、分離されたＤＲＳ干渉消去がＵＥによって行われた後の衝突するＤＲＳシナリオを概念的に示すブロック図である。干渉消去が（白で示される）ネイバーセルＤＲＳトーン（例えば、復調基準信号（ＤＭＲＳ）トーン）に基づいて行われた後、サービングセルＤＲＳトーン（例えば、復調基準信号（ＤＭＲＳ）トーン）は、強い干渉をもはや受けないことがある。従って、サービングセルチャネル推定は、より正確になる。次いで、干渉消去は、ネイバーセル制御／データチャネルを消去し、サービングセル制御／データチャネルを正確に復号するために、ネイバーセル制御／データチャネルに基づいて行われる。いくつかの例で、プロセスは、例えば、セルがほぼ等しい強度のものであるときに追加するために反復的に行われる。
【００６０】
[0075]  一例において、ＵＥは、分離された干渉消去／チャネル推定プロセスを以下の順序（例えば、ネイバリングセルがより強いとき）に従って、ＣＲＳトーンおよび／またはＤＲＳトーンに基づいて上述されたように行う。
１．ネイバーセルチャネル推定、
２．ネイバーセルＣＲＳ干渉消去および／またはネイバーセルＤＲＳ干渉消去、
３．サービングセルチャネル推定、
４．反復干渉消去の場合（例えば、セルが同様の強度のものであるとき）、サービングセルＣＲＳ干渉消去を行う、および／またはサービングセルＤＲＳ干渉消去を行う、よく知られている様式で１〜４を何回か繰り返す、
５．ネイバーセル制御／データチャネル復号、
６．ネイバーセル制御／データチャネル干渉消去、
７．サービングセル制御／データチャネル復号、
８．反復干渉消去（例えば、セルが同様の強度のものであるとき）の場合、サービングセル制御／データチャネル干渉消去を行い、よく知られている様式で５〜８を何回か繰り返す。
【００６１】
[0076]  ＵＥは、（例えば、セルが同様の強度のものであり、サービングセルがわずかにより強いとき）以下の順序で進むことを希望し得る。
１．サービングセルチャネル推定、
２．サービングセルＣＲＳ干渉消去および／またはサービングセルＤＲＳ干渉消去、
３．ネイバーセルチャネル推定、
４．ネイバーセルＣＲＳ干渉消去および／またはネイバーセルＤＲＳ干渉消去、並びに、よく知られている様式で１〜４を何回か繰り返す、
５．サービングセル制御／データチャネル復号、
６．サービングセル制御／データチャネル干渉消去、
７．ネイバーセル制御／データチャネル復号、
８．ネイバーセル制御／データチャネル干渉消去、および、よく知られている様式で５〜８を何回か繰り返す。
【００６２】
[0077]  図８Ａは、本開示の一態様による、干渉消去が行われる前の衝突しないＣＲＳシナリオを概念的に示すブロック図である。図６Ａと同様に、図８Ａでは、水平軸が周波数を表す。基準信号（例えば、ＣＲＳ）トーンおよび制御／データトーンは、ネイバーセルおよびサービングセルのサブキャリアについて示される。図８Ａに示されるように、サービングセルは、ネイバーセル制御／データチャネルトーンからの所与のサービングセルＣＲＳトーンについての干渉を受信する。また、所与のサービングセル制御／データチャネルについての干渉は、ネイバリングセルＣＲＳトーンからの干渉を含む。
【００６３】
[0078]  図８Ｂは、本開示の一態様による、干渉消去が行われる前の衝突しないＤＲＳシナリオを概念的に示すブロック図である。図６Ｂと同様に、図８Ｂでは、水平軸は周波数を表す。基準信号（例えば、ＤＲＳ）トーンおよび制御／データトーンは、ネイバーセルおよびサービングセルのサブキャリアについて示される。図８Ｂに示されるように、サービングセルは、ネイバーセル制御／データチャネルトーンからの所与のサービングセルＤＲＳトーン（例えば、復調基準信号（ＤＭＲＳ）トーン）についての干渉を受信する。また、所与のネイバリングセル制御／データチャネルについての干渉は、サービングセルＤＲＳトーン（例えば、復調基準信号（ＤＭＲＳ）トーン）からの干渉を含む。
【００６４】
[0079]  この場合、サービングセルのチャネル推定は、サービングセルＣＲＳトーンに干渉する、および／またはサービングセルＤＲＳトーン（例えば、復調基準信号（ＤＭＲＳ）トーン）に干渉する、ネイバーセル制御／データチャネルが最初に消去されない限り、正確でない。さらに、サービングセルチャネル推定に依拠するサービングセル制御／データチャネル復号も、ネイバーセルからの干渉を消去することなしには失敗する可能性がある。この問題を解決するための１つの手法は、サービングセルチャネル推定を進める前に、ネイバーセル制御／データチャネル、並びにＣＲＳトーンおよび／またはＤＲＳトーン（例えば、復調基準信号（ＤＭＲＳ）トーン）を完全に消去することである。すなわち、ＣＲＳトーン／ＤＲＳトーンおよびデータ／制御チャネル干渉消去を分離するのではなく、セルの全てのチャネルが、次のセルを進める前に処理される。言い換えれば、手法は、別のセルに進む前に、あるセルの全てのＣＲＳ／ＤＲＳおよび制御／データチャネルに対して干渉消去を行うことを含む。例えば、そのような技法は、（例えば、ネイバリングセルがより強いとき）以下を含み得る。
１．ネイバーセルチャネル推定、
２．ネイバーセル制御／データチャネル復号、
３．ネイバーセルＣＲＳ／ＤＲＳ干渉消去および制御／データチャネル干渉消去、
４．サービングセルチャネル推定、
５．サービングセル制御／データチャネル復号、
６．反復干渉消去（例えば、セルが同様の強度のものであるとき）の場合、サービングセルＣＲＳ／ＤＲＳ干渉消去および制御／データチャネル干渉消去、並びに、よく知られている様式で１〜６を何回か繰り返す。
【００６５】
[0080]  上述の場合と同様に、順序付け１〜３と４〜６とは、サービングセルがネイバリングセルよりもわずかに強い場合、交換され得る。
【００６６】
[0081]  図９Ａは、本開示の一態様による、干渉消去がネイバーセルＣＲＳトーンに対して行われた後の衝突しないＣＲＳシナリオを概念的に示すブロック図である。干渉消去が、ネイバーセルのＣＲＳトーンを消去するために使用された後、サービングセルＣＲＳトーンは、ネイバーセルの制御／データトーンから強い干渉を依然として受ける。従って、ある干渉消去が行われたが、サービングセルチャネル推定は依然として不十分である。
【００６７】
[0082]  図９Ｂは、本開示の一態様による、干渉消去がネイバーセルＤＲＳトーンに対して行われた後の衝突しないＤＲＳシナリオを概念的に示すブロック図である。干渉消去が、ネイバーセルのＤＲＳトーン（例えば、復調基準信号（ＤＭＲＳ）トーン）を消去するために使用された後、サービングセルＤＲＳトーン（例えば、復調基準信号（ＤＭＲＳ）トーン）は、ネイバーセルの制御／データトーンから強い干渉を依然として受ける。従って、ある干渉消去が行われたが、サービングセルチャネル推定は依然として不十分である。
【００６８】
[0083]  図１０Ａは、本開示の一態様による、干渉消去がネイバーセルＣＲＳトーンとネイバーセル制御／データチャネルとに対して行われた後の衝突しないＣＲＳシナリオを概念的に示すブロック図である。ネイバーセルＣＲＳ干渉消去および制御／データセル干渉消去の後に、サービングセルＣＲＳトーンは、強い干渉をもはや受けない。従って、サービングセルチャネル推定は、干渉の減少から恩恵を受けることができる。
【００６９】
[0084]  図１０Ｂは、本開示の一態様による、干渉消去がネイバーセルＤＲＳトーン（例えば、復調基準信号（ＤＭＲＳ）トーン）とネイバーセル制御／データチャネルとに対して行われた後の衝突しないＤＲＳシナリオを概念的に示すブロック図である。ネイバーセルＤＲＳ干渉消去および制御／データセル干渉消去の後に、サービングセルＤＲＳトーン（例えば、復調基準信号（ＤＭＲＳ）トーン）は、強い干渉をもはや受けないことがある。従って、サービングセルチャネル推定は、干渉の減少から恩恵を受けることができる。
【００７０】
[0085]  また、図８〜図１０の手法は、衝突するＣＲＳシナリオおよび／または衝突するＤＲＳシナリオに有効であるが、図６および図７の手法が、１つまたは複数の理由のために、衝突するＣＲＳシナリオおよび／または衝突するＤＲＳシナリオのために選択され得る。それは概して、図８〜図１０の手法が、図６および図７の手法よりも高い複雑さを有する場合である。さらに、反復干渉消去手法が、衝突するＣＲＳシナリオおよび／または衝突するＤＲＳシナリオにおいて採用された場合、制御／データチャネル干渉消去において反復の数を低減するために、図６および図７の手法を使用することが有利であり得る。詳細には、図６および図７の反復手法において、サービングセルとネイバーセルとに対する制御／データチャネル復号は、全てのＣＲＳおよび／またはＤＲＳ干渉消去反復が完了された後に取得された最終チャネル推定値を用いて行われるが、図８〜図１０による反復手法において、サービングセルとネイバーセルとの制御／データチャネル復号は、所与の反復上で利用可能である中間チャネル推定値を用いて行われる。中間チャネル推定値は最終チャネル推定値よりも正確でないので、図６〜図７による手法の場合よりも、図８〜図１０による手法の場合により多くの反復を実施することが望ましい。
【００７１】
[0086]  様々な態様では、ＵＥが、所与のシナリオのための特定の手法を適応的に適用し得る。従って、一例において、ＵＥは、ＵＥが参照するセルＩＤに応じてアルゴリズムのうちの１つを選定し得、ここで、セルＩＤは、干渉が、衝突するＣＲＳトーンを含むかどうかを示す。別の例において、ＵＥは、所与のリソースブロック（ＲＢ）上のサービングセルのＤＲＳトーン（例えば、復調基準信号（ＤＭＲＳ）トーン）が、そのＲＢ上のネイバリングセルのＤＲＳトーン（例えば、復調基準信号（ＤＭＲＳ）トーン）と完全に衝突するかどうかに少なくとも部分的に基づいて、所与のシナリオおよび所与のＲＢのための特定の手法を適応的に適用し得る。ＤＭＲＳポート情報は、ＵＥに知られていることがあり、または、ＵＥが、ＤＭＲＳポートを検出し得る（例えば、ブラインド検出）。
【００７２】
[0087]  ＵＥが、そのうちのいくつかは、サービングセルとの衝突するＣＲＳおよび／またはＤＲＳ位置を有し、他のものは、衝突しないＣＲＳおよび／またはＤＲＳ位置を有する、３つ以上の干渉物を見た場合、ＵＥは、衝突するＣＲＳおよび／または衝突するＤＲＳを有するセルの間で、図６および図７による随意の干渉消去とともに、図８〜図１０の手法を使用できる。
【００７３】
[0088]  図１１は、本開示の一態様を実施するために実行される例示的なブロックを示す機能ブロック図である。プロセス１１００は、例えば、１つまたは複数のネイバリングセルからの干渉を経験するＵＥによって行われ得る。プロセス１１００はブロック１１０１で開始する。ブロック１１０２では、ネイバリングセルとサービングセルとの間の干渉が検出される。ブロック１１０３では、干渉が、適応技法を使用して、衝突する共通基準信号（ＣＲＳ）トーンを有するかどうかに基づいて消去される。また、干渉は、適応技法を使用して、衝突する専用基準信号（ＤＲＳ）トーン（例えば、復調基準信号（ＤＭＲＳ）トーン）を有するかどうかに基づいて消去され得る。
【００７４】
[0089]  一構成では、ＵＥ１２０が、ワイヤレス通信のために構成され、ネイバリングセルとサービングセルとの間の干渉を検出するための手段を含む。一態様では、検出手段が、検出手段で具陳された機能を行うように構成される、アンテナ４５２ａ−ｒ、復調器４５４ａ−ｒ、受信プロセッサ４５８、コントローラ／プロセッサ４８０、およびメモリ４８２であり得る。ＵＥ１２０はまた、干渉が、衝突する共通基準信号（ＣＲＳ）トーンを有するかどうかに基づいて、適応技法を使用して干渉を消去するための手段を含むように構成される。ＵＥ１２０は、干渉が、衝突する専用基準信号（ＤＲＳ）トーン（例えば、復調基準信号（ＤＭＲＳ）トーン）を有するかどうかに基づいて、適応技法を使用して干渉を消去するための手段を含むように構成され得る。一態様では、消去手段が、消去手段で具陳された機能を行うように構成されるコントローラ／プロセッサ４８０、およびメモリ４８２であり得る。別の態様では、上述の手段が、上述の手段で具陳された機能を行うように構成されるモジュールまたは任意の装置であり得る。
【００７５】
[0090]  さらに、本明細書の開示に関連して説明された様々な例示的な論理ブロック、モジュール、回路、およびアルゴリズムステップは、電子ハードウェア、コンピュータソフトウェア、または両方の組合せとして実施され得ることを、当業者は諒解されよう。ハードウェアとソフトウェアのこの互換性を明確に示すために、様々な例示的な構成要素、ブロック、モジュール、回路、およびステップが、概ねそれらの機能に関連して上述された。そのような機能がハードウェアとして実施されるか、ソフトウェアとして実施されるかは、特定の適用例および全体的なシステムに課される設計制約に依存する。当業者は、説明された機能を特定の適用例ごとに様々な方法で実施し得るが、そのような実施の決定は、本開示の範囲からの逸脱を生じるものと解釈されるべきではない。
【００７６】
[0091]  本明細書の開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実施され得る。
【００７７】
[0092]  本明細書の開示に関連して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００７８】
[0093]  １つまたは複数の例示的な設計では、説明された機能が、ハードウェア、ソフトウェア、ファームウェア、またはそれらの組合せで実施され得る。ソフトウェアで実施される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００７９】
[0094]  本開示についての以上の説明は、当業者の誰もが本開示を為すまたは使用することを可能にするために提供されたものである。本開示への様々な変形は当業者にとってすぐに明らかになるはずでであり、本明細書において定義された一般原理は、本開示の精神または範囲から逸脱することなく他の変形物に適用され得る。従って、本開示は、本明細書で説明された例および設計に限定されるものではなく、本明細書で開示した原理および新規の特徴に整合する最も広い範囲が授けられるべきである。
【図１】
2018101980.tif 000003
【図２】
2018101980.tif 000004
【図３】
2018101980.tif 000005
【図４】
2018101980.tif 000006
【図５】
2018101980.tif 000007
【図６Ａ】
2018101980.tif 000008
【図６Ｂ】
2018101980.tif 000009
【図７Ａ】
2018101980.tif 000010
【図７Ｂ】
2018101980.tif 000011
【図８Ａ】
2018101980.tif 000012
【図８Ｂ】
2018101980.tif 000013
【図９Ａ】
2018101980.tif 000014
【図９Ｂ】
2018101980.tif 000015
【図１０Ａ】
2018101980.tif 000016
【図１０Ｂ】
2018101980.tif 000017
【図１１】
2018101980.tif 000018
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて干渉を消去するための方法であって、前記方法は、
ネイバリングセルとサービングセルとの間の干渉を検出することと、
前記干渉が、前記サービングセルの専用基準信号（ＤＲＳ）トーンと衝突している前記ネイバリングセルのＤＲＳトーンからのものであることに少なくとも部分的に基づいて、前記干渉を消去することと
を備え、
ここにおいて、前記干渉を消去することは、
前記ネイバリングセルの専用基準信号（ＤＲＳ）トーンに少なくとも部分的に基づいて前記ネイバリングセルのチャネルを推定することと、
サービングセルチャネルを推定するために前記ネイバリングセルＤＲＳトーンからの前記干渉を消去することと、
前記サービングセルチャネルを推定することと
を備える、方法。
【手続補正２】
【補正対象書類名】明細書
【補正対象項目名】００７９
【補正方法】変更
【補正の内容】
【００７９】
[0094]  本開示についての以上の説明は、当業者の誰もが本開示を為すまたは使用することを可能にするために提供されたものである。本開示への様々な変形は当業者にとってすぐに明らかになるはずであり、本明細書において定義された一般原理は、本開示の精神または範囲から逸脱することなく他の変形物に適用され得る。従って、本開示は、本明細書で説明された例および設計に限定されるものではなく、本明細書で開示した原理および新規の特徴に整合する最も広い範囲が授けられるべきである。
以下に本願発明の当初の特許請求の範囲に記載された発明を付記する。
［Ｃ１］
ワイヤレスネットワークにおいて干渉を消去するための方法であって、前記方法は、
ネイバリングセルとサービングセルとの間の干渉を検出することと、
前記干渉が、前記サービングセルの専用基準信号（ＤＲＳ）トーンと衝突している前記ネイバリングセルのＤＲＳトーンからのものであることに少なくとも部分的に基づいて、前記干渉を消去することと
を備え、
ここにおいて、前記干渉を消去することは、
前記ネイバリングセルの専用基準信号（ＤＲＳ）トーンに少なくとも部分的に基づいて前記ネイバリングセルのチャネルを推定することと、
サービングセルチャネルを推定するために前記ネイバリングセルＤＲＳトーンからの前記干渉を消去することと、
前記サービングセルチャネルを推定することと
を備える、方法。
［Ｃ２］
ネイバリングセル制御チャネルおよびネイバリングセルデータチャネルのうちの少なくとも１つを復号／推定することと、
前記ネイバリングセル制御チャネルおよび前記ネイバリングセルデータチャネルのうちの前記復号／推定された少なくとも１つを使用して、前記ネイバリングセル制御チャネルおよび前記ネイバリングセルデータチャネルのうちの前記少なくとも１つからの干渉を消去することと、
サービングセル制御チャネルおよびサービングセルデータチャネルのうちの少なくとも１つを復号することと
をさらに備える、Ｃ１に記載の方法。
［Ｃ３］
前記サービングセルの前記ＤＲＳトーンと前記ネイバリングセルの前記ＤＲＳトーンとに対する反復干渉消去によって、ネイバリングセルチャネルとサービングセルチャネルとを反復的に推定することをさらに備える、Ｃ１に記載の方法。
［Ｃ４］
（ｉ）前記サービングセル制御チャネルおよび前記サービングセルデータチャネル、並びに（ｉｉ）前記ネイバリングセル制御チャネルおよび前記ネイバリングセルデータチャネルのうちの少なくとも１つを反復的に復号／推定し、消去することをさらに備える、Ｃ２に記載の方法。
［Ｃ５］
前記干渉を消去することは、さらに、前記ネイバリングセルの受信電力強度と前記サービングセルの受信電力強度とに少なくとも部分的に基づく、Ｃ１に記載の方法。
［Ｃ６］
前記サービングセルチャネルを推定することは、前記サービングセルチャネルのＤＲＳトーンに少なくとも部分的に基づく、Ｃ１に記載の方法。
［Ｃ７］
ワイヤレスネットワークにおいて干渉を消去するための方法であって、前記方法は、
ネイバリングセルとサービングセルとの間の干渉を検出することと、
前記干渉が、前記サービングセルの専用基準信号（ＤＲＳ）トーンと衝突しているネイバリングセル制御トーンまたはネイバリングセルデータトーンからのものであることに少なくとも部分的に基づいて、あるいは前記干渉が、前記サービングセルの制御トーンまたはデータトーンと衝突しているネイバリングセルＤＲＳトーンからのものであることに少なくとも部分的に基づいて、前記干渉を消去することと
を備え、
ここにおいて、前記干渉を消去することは、
前記ネイバリングセルのＣＲＳまたは専用基準信号（ＤＲＳ）トーンに少なくとも部分的に基づいて前記ネイバリングセルのチャネルを推定することと、
前記ネイバリングセルの前記推定されたチャネルに少なくとも部分的に基づいて前記干渉を消去することと
を備える、方法。
［Ｃ８］
ネイバリングセル制御チャネルおよびネイバリングセルデータチャネルのうちの少なくとも１つを復号／推定することと、
前記ネイバリングセル制御チャネルおよび前記ネイバリングセルデータチャネルのうちの前記少なくとも１つからの干渉を消去することと
をさらに備える、Ｃ７に記載の方法。
［Ｃ９］
前記推定されたネイバリングセルＣＲＳ／ＤＲＳトーンからの干渉を推定し、消去することと、ネイバリングセル制御およびデータチャネルを復号／推定し、消去することと、前記サービングセルＣＲＳ／ＤＲＳトーンを消去することと、前記サービングセル制御およびデータチャネルのうちの少なくとも１つを消去することとを反復的に行うことをさらに備える、Ｃ８に記載の方法。
［Ｃ１０］
サービングセルＣＲＳ／ＤＲＳトーンを消去することと、
サービングセル制御チャネルおよびサービングセルデータチャネルのうちの少なくとも１つを消去することと、
前記推定されたネイバリングセルＣＲＳ／ＤＲＳトーンからの干渉を推定し、消去することと、ネイバリングセル制御およびデータチャネルを復号／推定し、消去することと、前記サービングセルＣＲＳ／ＤＲＳトーンを消去することと、前記サービングセル制御およびデータチャネルのうちの少なくとも１つを消去することとを反復的に行うことと
をさらに備える、Ｃ８に記載の方法。
［Ｃ１１］
ワイヤレスネットワークにおいてカバレージを向上させるための装置であって、
メモリと、
前記メモリに結合された少なくとも１つのプロセッサと
を備え、前記少なくとも１つのプロセッサは、
ネイバリングセルとサービングセルとの間の干渉を検出することと、
前記干渉が、前記サービングセルの専用基準信号（ＤＲＳ）トーンと衝突している前記ネイバリングセルのＤＲＳトーンからのものであることに少なくとも部分的に基づいて、前記干渉を消去することと
を行うように構成され、
ここにおいて、前記少なくとも１つのプロセッサは、
前記ネイバリングセルのチャネルの専用基準信号（ＤＲＳ）トーンに少なくとも部分的に基づいて前記ネイバリングセルの前記チャネルを推定することと、
サービングセルチャネルを推定するために前記ネイバリングセルＤＲＳトーンからの前記干渉を消去することと、
前記サービングセルチャネルを推定することと
によって干渉を消去するようにさらに構成される、装置。
［Ｃ１２］
前記少なくとも１つのプロセッサは、
ネイバリングセル制御チャネルおよびネイバリングセルデータチャネルのうちの少なくとも１つを復号／推定することと、
前記ネイバリングセル制御チャネルおよび前記ネイバリングセルデータチャネルのうちの前記復号／推定された少なくとも１つを使用して、前記ネイバリングセル制御チャネルおよび前記ネイバリングセルデータチャネルのうちの前記少なくとも１つからの干渉を消去することと、
サービングセル制御チャネルおよびサービングセルデータチャネルのうちの少なくとも１つを復号することと
によって干渉を消去するようにさらに構成される、Ｃ１１に記載の装置。
［Ｃ１３］
前記少なくとも１つのプロセッサは、
前記サービングセルの前記ＤＲＳトーンと前記ネイバリングセルの前記ＤＲＳトーンとに対する反復干渉消去によって、ネイバリングセルチャネルとサービングセルチャネルとを反復的に推定することによって干渉を消去するようにさらに構成される、Ｃ１１に記載の装置。
［Ｃ１４］
前記少なくとも１つのプロセッサは、
（ｉ）前記サービングセル制御チャネルおよび前記サービングセルデータチャネル、並びに（ｉｉ）前記ネイバリングセル制御チャネルおよび前記ネイバリングセルデータチャネルのうちの少なくとも１つを反復的に復号／推定し、消去することによって干渉を消去するようにさらに構成される、Ｃ１１に記載の装置。
［Ｃ１５］
前記少なくとも１つのプロセッサは、前記干渉を消去するようにさらに構成され、さらに、前記ネイバリングセルの受信電力強度と前記サービングセルの受信電力強度とに少なくとも部分的に基づく、Ｃ１１に記載の装置。
［Ｃ１６］
前記少なくとも１つのプロセッサは、前記サービングセルチャネルを推定するようにさらに構成され、前記サービングセルチャネルのＤＲＳトーンに少なくとも部分的に基づく、Ｃ１１に記載の装置。
［Ｃ１７］
ワイヤレスネットワークにおいてカバレージを向上させるための装置であって、
メモリと、
前記メモリに結合された少なくとも１つのプロセッサと
を備え、前記少なくとも１つのプロセッサは、
ネイバリングセルとサービングセルとの間の干渉を検出することと、
前記干渉が、前記サービングセルの専用基準信号（ＤＲＳ）トーンと衝突しているネイバリングセル制御トーンまたはネイバリングセルデータトーンからのものであることに少なくとも部分的に基づいて、あるいは前記干渉が、前記サービングセルの制御トーンまたはデータトーンと衝突しているネイバリングセルＤＲＳトーンからのものであることに少なくとも部分的に基づいて、前記干渉を消去することと
を行うように構成され、
ここにおいて、前記少なくとも１つのプロセッサは、
前記ネイバリングセルのＣＲＳまたは専用基準信号（ＤＲＳ）トーンに少なくとも部分的に基づいて前記ネイバリングセルのチャネルを推定することと、
前記ネイバリングセルの前記推定されたチャネルに少なくとも部分的に基づいて前記干渉を消去することと
によって干渉を消去するようにさらに構成される、装置。
［Ｃ１８］
前記少なくとも１つのプロセッサは、
ネイバリングセル制御チャネルおよびネイバリングセルデータチャネルのうちの少なくとも１つを復号／推定することと、
前記ネイバリングセル制御チャネルおよび前記ネイバリングセルデータチャネルのうちの前記少なくとも１つからの干渉を消去することと
によって干渉を消去するようにさらに構成される、Ｃ１７に記載の装置。
［Ｃ１９］
前記少なくとも１つのプロセッサは、
前記推定されたネイバリングセルＣＲＳ／ＤＲＳトーンからの干渉を推定し、消去することと、ネイバリングセル制御およびデータチャネルを復号／推定し、消去することと、前記サービングセルＣＲＳ／ＤＲＳトーンを消去することと、前記サービングセル制御およびデータチャネルのうちの少なくとも１つを消去することとを反復的に行うことと
によって干渉を消去するようにさらに構成される、Ｃ１８に記載の装置。
［Ｃ２０］
前記少なくとも１つのプロセッサは、
サービングセルＣＲＳ／ＤＲＳトーンを消去することと、
サービングセル制御チャネルおよびサービングセルデータチャネルのうちの少なくとも１つを消去することと、
前記推定されたネイバリングセルＣＲＳ／ＤＲＳトーンからの干渉を推定し、消去することと、ネイバリングセル制御およびデータチャネルを復号／推定し、消去することと、前記サービングセルＣＲＳ／ＤＲＳトーンを消去することと、前記サービングセル制御およびデータチャネルのうちの少なくとも１つを消去することとを反復的に行うことと
によって干渉を消去するようにさらに構成される、Ｃ１８に記載の装置。
【外国語明細書】
2018101980000001.pdf